(57)【要約】【課題】柄部の先端に結合された毛束が金属管状体により固定され，キャップの螺合により毛束が高粘度の化粧液の内部において回転されたとき，毛束がねじれるなどの不具合を防止することのできる化粧用刷毛を提供すること。【解決手段】本発明の化粧用刷毛は，キャップ１０の内部中央に立設された柄部１１の先端に接着部２１を有する毛束２０が挿入され，柄部１１の外側面を押圧して形成した押圧点１１ａにより毛束２０が柄部１１の内部に固定される化粧用刷毛１であって，毛束２０の下部周縁部に金属片３０ａを丸めた金属管状体３０を結合し，金属片３０ａの両側端が重なり合うように押圧して金属管状体３０の内部に毛束２０を固定し，柄部１１の内部に金属管状体３０を挿入後，柄部１１の外側面を押圧して押圧点１１ａを形成し，金属管状体３０と共に毛束２０を柄部１１の内部に強固に固定していることを特徴とする。【選択図】図３
2007000609.tif 000002
【特許請求の範囲】
【請求項１】
キャップの内部中央に立設された柄部の先端に，接着部を有する毛束が挿入され，前記柄部の外側を押圧した押圧点により前記毛束が前記柄部の内部に固定される化粧用刷毛において，
前記毛束の下部の周囲に金属片を丸めた金属管状体を結合し，前記金属片の両端が重なり合うように前記金属管状体を押圧して前記金属管状体の内部に前記毛束を固定し，前記柄部の内部に前記金属管状体を挿入した後，前記柄部の外側を押圧した前記押圧点を形成して前記柄部の内部に前記金属管状体と共に前記毛束を強固に固定したことを特徴とする，化粧用刷毛。
【請求項２】
前記金属管状体は，
両側端に突部と係止溝が連設された前記金属片を，前記毛束の下部の周囲に沿って丸めて形成され，前記金属片の一方の側の前記突部と前記係止溝とが，他方の側の前記係止溝と前記突部に各々結合されて前記金属管状体が前記毛束を固定し，前記柄部の内部に挿入された前記金属管状体を前記柄部の外側を押圧した前記押圧点により固定したことを特徴とする，請求項１に記載の化粧用刷毛。
【請求項３】
薄い金属板材をプレスにより加工して，長方形の金属片が連設され，前記金属片は前記金属板材と狭幅の連結片により連結されるように加工する段階と；
前記金属片をプレスにより曲げ成形して前記金属片の両端を折り曲げる１次曲げ段階と；
両端が折り曲げられた前記金属片の両側を押圧して半円筒状にする２次曲げ段階と；
半円筒状に折り曲げられた前記金属片の両側をさらに押圧し，金属管状体を形成すると共に，前記金属片の両端をわずかに重なり合わせる３次曲げ段階と；
前記連結片を切断して前記金属板材から前記金属管状体を外した後，前記金属管状体の内部に前記毛束を挿入する段階と；
前記金属管状体の外側面を押し付けて前記金属管状体を形成する前記金属片の両端をさらに重なり合わせることにより，前記毛束の下部を引き締めて前記毛束を前記金属管状体に固定する段階と；
前記毛束が固定された前記金属管状体を前記柄部の内部結合孔に嵌込後，前記柄部の外側を押圧して前記柄部の内部に突出する押圧点を形成し，押圧により前記金属管状体を固定する段階と；
を含むことを特徴とする，化粧用刷毛の毛束固定法。
【発明の詳細な説明】
【技術分野】
【０００１】
本発明は，化粧品容器に結合されるキャップに毛束が植毛された柄部が形成された化粧用刷毛及び化粧用刷毛の毛束固定法に関する。
【背景技術】
【０００２】
通常，口紅，リップグロス，マスカラ，アイライナー，及びマニキュアなどの液状の化粧品を刷毛で付けて化粧をする化粧品の場合，主として毛束が植毛された柄部の上部キャップを化粧品容器に螺合し，柄部と毛束が化粧品容器の内部に納められた状態にすることにより，簡単に携帯可能になっている。また，必要に応じては，キャップを外すことにより，化粧液が付けられた刷毛で化粧をすることが可能になっている。
【０００３】
化粧用刷毛は，図１Ａに示すように，毛束２０の根元部分の毛に熱を加えて熱接着した接着部２１が形成されて，毛が毛束から抜けないようになっている。また，図１Ｂに示すように，毛束２０を円筒状の柄部１１の先端に挿入し，柄部１１の外側面を押圧して形成した押圧点１１ａにより接着部２１が固定され，毛束２０が柄部１１に固定されるようになっている。
【発明の開示】
【発明が解決しようとする課題】
【０００４】
しかしながら，上述した従来の技術においては，キャップを容器に螺合したとき，図１Ｃに示すように，毛束２０が高粘度の化粧液の内部において回転することによって，化粧液の抵抗により柄部１１の内部に挿入されている部分から毛束２０がねじれてしまうなどの不具合が発生していた。
【０００５】
さらに，毛束２０を柄部１１の内部に固定するには，結局，毛束２０を固定している接着部２１を固定しなければならず，柄部１１の内部に挿入されている毛束２０の長さを考慮すると，毛束２０が全体的に長くなるなどの不都合があった。加えて，柄部１１の外側面を押圧して，狭幅の接着部２１に対し正確に押圧点１１ａを形成しなければならないため，押圧点１１ａを形成するための押圧作業時に，不良品が多数発生するなどの不具合があった。
【０００６】
さらに，毛束２０の根元部分に接着部２１を形成して毛を固定する場合，毛を強く束ねることが不可能であったため，化粧用刷毛を使用するときに，毛束から毛が抜けるなどの不具合が生じていた。なおかつ，単に毛束２０を柄部１１の内部に挿入して結合する場合は，一層多量の毛を柄部１１に結合することができなかった。
【０００７】
これらの理由から，柄部１１の内部に挿入されている部分の毛束２０を固定可能であれば，柄部１１から外部に突出する毛束２０は相対的に短く形成され，化粧液の抵抗によって毛束２０がねじれるなどの不具合を防止できるため，結果として，柄部１１の内部に挿入されている部分の毛束２０を，強固に固定可能な技術の提案が切望されている。
【０００８】
そこで，本発明は，上記問題に鑑みてなされたものであり，本発明の目的とするところは，キャップの螺合により毛束が高粘度の化粧液の内部において回転されたときに，毛束がねじれるなどの不具合を防止することが可能な，新規かつ改良された化粧用刷毛を提供することにある。
【課題を解決するための手段】
【０００９】
上記課題を解決するために，本発明のある観点によれば，キャップ１０の内部中央に立設された柄部１１の先端に接着部２１を有する毛束２０が挿入され，柄部１１の外側を押圧した押圧点１１ａにより毛束２０が柄部１１の内部に固定される化粧用刷毛１において，毛束２０の下部の周囲に金属片３０ａを丸めた金属管状体３０を結合して，金属片３０ａの両端が重なり合うように金属管状体３０を押圧して金属管状体３０の内部に毛束２０を固定し，柄部１１の内部に金属管状体３０を挿入後，柄部１１の外側を押圧した押圧点１１ａを形成して柄部１１の内部に金属管状体３０と共に毛束２０を強固に固定していることを特徴とする，化粧用刷毛が提供される。
【００１０】
また，金属管状体３０は，両側端に突部と係止溝が連設された金属片３０ａを，毛束２０の下部の周囲に沿って丸めて形成され，金属片３０ａの一方の側の突部３２ａと係止溝３２ｂとが，他方の側の係止溝３３ｂと突部３３ａとに各々結合されて金属管状体３０が毛束２０を固定し，柄部１１の内部に挿入された金属管状体３０を柄部１１の外側を押圧した押圧点１１ａにより固定するようにしてもよい。
【００１１】
また，上記課題を解決するために，本発明の別の観点によれば，薄い金属板材３１をプレスにより加工して，長方形の金属片３０ａが連設され，金属片３０ａは金属板材３１と狭幅の連結片３１ａにより連結されるように加工する段階と，金属片３０ａをプレスにより曲げ成形して金属片３０ａの両端を折り曲げる１次曲げ段階と，両端が折り曲げられた金属片３０ａの両側を押圧して半円筒状にする２次曲げ段階と，半円筒状に折り曲げられた金属片３０ａの両側をさらに押圧して金属管状体３０を形成すると共に，金属片３０ａの両端をわずかに重なり合わせる３次曲げ段階と，連結片３１ａを切断して金属板材３１から金属管状体３０を外した後，金属管状体３０の内部に毛束２０を挿入する段階と，金属管状体３０の外側面を押し付けて金属管状体３０を形成する金属片３０ａの両端をさらに重なり合わせることにより毛束２０の下部を引き締めて毛束２０を金属管状体３０に固定する段階と，毛束２０が固定された金属管状体３０を柄部１１の内部結合孔１２に嵌込後，柄部１１の外側を押圧して柄部１１の内部に突出する押圧点１１ａを形成し，押圧により金属管状体３０を固定する段階と，を含むことを特徴とする，化粧用刷毛の毛束固定法が提供される。
【発明の効果】
【００１２】
以上説明したように本発明によれば，キャップの螺合により毛束が高粘度の化粧液の内部において回転されたときに，毛束がねじれるなどの不具合を防止することが可能な化粧用刷毛及び化粧用刷毛の毛束固定法を提供することができる。
【発明を実施するための最良の形態】
【００１３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１４】
まず，本発明の一実施形態にかかる化粧用刷毛について説明する。図２〜４は本発明の一実施形態に係る化粧用刷毛を説明するための斜視図及び断面図であり，図１０は本実施形態にかかる化粧用刷毛の使用状態を説明するための斜視図である。
【００１５】
図１０に示すように，本実施形態による化粧用刷毛１は，円筒状のキャップ１０と，毛束２０が結合された柄部１１とから構成されている。
【００１６】
すなわち，円筒状のキャップ１０の内部の中央には柄部１１が立設され，柄部１１の先端に穿孔されている結合孔１２には，毛束２０が嵌込され，毛束２０の根元部分には接着剤を塗布して硬化させた接着部２１が形成されている。
【００１７】
柄部１１の内部に挿入された毛束２０は，柄部１１の外側面を押圧して形成した押圧点１１ａにより柄部１１の内部に固定されている。
【００１８】
キャップ１０は，化粧品容器２の開口部に螺合され，柄部１１と毛束２０とを化粧品容器２の内部に納められた状態にすることで，化粧品を簡単に携帯することが可能になっている。
【００１９】
毛束２０の下部周縁部には金属片３０ａを丸めた金属管状体３０が結合され，金属片３０ａの両側端が重なり合うように金属管状体３０を押圧することにより，金属管状体３０の内部に毛束２０が強固に固定される。
【００２０】
もちろん，都合によっては，合成樹脂製の支持片を丸めて金属管状体３０を形成しても良い。このとき，合成樹脂に熱を加えて硬化する前に丸めることで，毛束２０の中央部を強固に固定可能になる。このため，本発明においては，金属管状体３０の材質に制限はない。
【００２１】
金属管状体３０は，柄部１１の内部結合孔１２に嵌込され，柄部１１の外側面を押圧したときに柄部１１の内部結合孔１２の内側に突出する押圧点１１ａにより押圧されながら，毛束２０と共に柄部１１の内部において強固に固定される。
【００２２】
すなわち，柄部１１を押圧すると，押圧部の金属管状体３０の断面が楕円状に歪みながら，金属管状体３０は柄部１１の内部において強固に固定される。
【００２３】
金属管状体３０は，人体に無害な材質，例えば，ステンレスや銅などにより形成されてもよく，場合によっては，銀メッキされた銅を用いることもできる。
【００２４】
上述したような構成を有する本実施形態においては，柄部１１の内部結合孔１２に嵌込された金属管状体３０が，柄部１１の外側面を押圧して形成した押圧点１１ａにより強固に固定され，毛束２０は金属管状体３０により固定されるため，柄部１１の外部に突出する短い毛束２０だけが自由な状態を保持する。これにより，キャップ１０を容器２の開口部に螺合したとき，毛束２０が高粘度の化粧液の内部において回転されても，柄部１１の内部結合孔１２に嵌込された毛束２０は金属管状体３０により強固に固定されており，柄部１１の先端から外部に突出している短い毛束２０のねじれが防止可能になる。しかも，短い毛束２０がねじれたとしても，復元力により素早く元の形状に戻って最初の状態を保持することができる。
【００２５】
これにより，毛束がねじれるなどの不具合が防止され，化粧液を正確に付けることができ，その結果，化粧用刷毛１の対外競争力を格段に高めることができる。また，毛束２０を固定している接着部２１が柄部１１の内部において固定されているために，全体的に毛束２０が長くなるなどの問題点があった従来とは異なり，本実施形態においては，毛束２０は化粧液の抵抗によりねじれることなく，また，ねじれたときの復元力を画期的に改善しているので，毛束２０に化粧液を正確に付けることができ，その結果，消費者に高品質の化粧用刷毛を提供できるという利点がある。
【００２６】
さらに，柄部１１の内部結合孔１２の全体に亘って金属管状体３０が嵌込されているので，押圧点１１ａを形成可能な範囲が極めて広くなり，柄部１１の外側面の任意の個所を押圧しても，押圧点１１ａが常に正確に金属管状体３０を押圧して強固に固定可能になる。これにより，押圧作業による不良率を極力抑えることができ，且つ，押圧点１１ａにより金属管状体３０が押圧されながら極めて強固に固定され，柄部１１の内部結合孔１２から金属管状体３０が抜けるなどの不具合を効果的に防止できる。
【００２７】
さらに，金属管状体３０を形成する金属片３０ａの両側端が重なり合う部分の面積が広がるにつれて毛束２０を強く引き締めるので，金属管状体３０の内部に毛束２０が極めて強固に固定されて，毛が毛束から抜けるなどの不具合を効果的に防止できる。さらに，金属管状体３０が毛束２０を強く引き締めるので，一層多量の毛を柄部１１に植毛でき，その結果，化粧の効率を一段と高めることができる。
【００２８】
金属管状体３０の材質である銀や銅は，昔から抗菌及び殺菌力があると言われており，化粧液を付けるとき，外部から有害な細菌が入った場合であっても，強い抗菌力により細菌を殺菌することができるなどの利点がある。
【００２９】
一方，図５〜図８は本発明の他の実施形態に係る化粧用刷毛の金属管状体を説明するための図である。図５〜図８に示すように，場合によっては，金属管状体３０を形成する金属片３０ａの両側に突部と係止溝を形成して互いに係合しても良い。
【００３０】
すなわち，図５〜図８に示すように，金属管状体３０は，側端部の一方の側に突部３２ａ及び係止溝３２ｂを，他方の側に突部３３ａ及び係止溝３３ｂを連設した金属片３０ａを，毛束２０の下部の周縁部に沿って丸めることにより形成される。金属片３０ａの一方の突部３２ａと他方の係止溝３２ｂとを，一方の係止溝３３ｂと他方の突部３３ａとを係合して金属管状体３０が毛束２０を固定し，柄部１１の内部に挿入された金属管状体３０を柄部１１の外側面を押圧して形成した押圧点１１ａにより固定することができる。
【００３１】
次に，本発明の一実施形態にかかる化粧用刷毛の毛束固定法について説明する。
【００３２】
図９Ａと図９Ｂに示すように，薄い金属板材３１を上下の金型の間に挿置後，プレスにより打ち抜いて四角形の金属片３０ａが連設されるように加工し，金属片３０ａは，狭幅の連結片３１ａを介して金属板材３１と連結されるように加工する。
【００３３】
次いで，図９Ｃに示すように，金属片３０ａをプレスにより曲げ成形して金属片３０ａの両側端を折り曲げる。
【００３４】
次いで，図９Ｄに示すように，両側端が折り曲げられた金属片３０ａの両側を押圧して金属片３０ａを半円筒状にする。
【００３５】
次いで，図９Ｅに示すように，半円筒状に折り曲げられた金属片３０ａの両側をさらに押圧して金属管状体３０を形成する。このとき，金属管状体３０を形成する金属片３０ａの両側端は，僅かに重なり合うように成形する。
【００３６】
続けて，連結片３１ａを切断して金属板材３１から金属管状体３０を外した後，図９Ｆに示すように，金属管状体３０の内部に毛束２０を挿入する。
【００３７】
次いで，図９Ｇに示すように，金属管状体３０の外側面を押圧して金属管状体３０をきつく引き締めることにより金属管状体３０が毛束２０の下部を引き締め，その結果，毛束２０が金属管状体３０に固定される。
【００３８】
最後に，図９Ｈに示すように，毛束２０が固定された金属管状体３０を柄部１１の内部結合孔１２に嵌込後，柄部１１の外側面を押圧して，柄部１１の内部に押圧点１１ａを突出させる。
【００３９】
柄部１１の内部に突出する押圧点１１ａにより金属管状体３０が押圧されながら固定され，これにより，毛束２０を柄部に固定することが可能になる。
【００４０】
以上説明したように，本実施形態にかかる化粧用刷毛は，柄部１１の内部結合孔１２に嵌込した金属管状体３０により毛束２０が強固に固定され，柄部１１の外部に突出している短い毛束２０だけが自由な状態を保持する。これにより，キャップ１０を容器２の開口部に螺合したとき，毛束２０が高粘度の化粧液の内部において回転しても，金属管状体３０により強固に支持されてねじれを防止可能になる。また，柄部１１の先端に突出している短い毛束２０がねじれるとしても，復元力により素早く元の形状に戻って最初の状態を保持できる。以上のことから，化粧液の抵抗により毛束２０がねじれるなどの不具合を効果的に防止でき，その結果，化粧液を満遍なく，且つ，正確に付けることができ，消費者に高品質の化粧用刷毛を提供できるという利点がある。
【００４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００４２】
【図１Ａ】従来の技術を例示する断面図である。
【図１Ｂ】従来の技術を例示する断面図である。
【図１Ｃ】従来の技術を例示する断面図である。
【図２】本発明の一実施形態による毛束に金属管状体が結合された状態を例示する斜視図である。
【図３】本発明の一実施形態による毛束が柄部に結合された状態を例示する断面図である。
【図４】本発明の一実施形態による毛束から金属片が外された状態を例示する斜視図である。
【図５】本発明の他の実施形態による毛束から金属片が外された状態を例示する分解斜視図である。
【図６】本発明の他の実施形態による毛束に金属管状体が結合された状態を例示する斜視図である。
【図７】本発明の他の実施形態による毛束が柄部から外された状態を例示する分解斜視図である。
【図８】本発明の他の実施形態による毛束が柄部に結合された状態を例示する断面図である。
【図９Ａ】本発明の一実施形態にかかる化粧用刷毛の毛束固定法を手順別に示す斜視図である。
【図９Ｂ】本発明の一実施形態にかかる化粧用刷毛の毛束固定法を手順別に示す斜視図である。
【図９Ｃ】本発明の一実施形態にかかる化粧用刷毛の毛束固定法を手順別に示す斜視図である。
【図９Ｄ】本発明の一実施形態にかかる化粧用刷毛の毛束固定法を手順別に示す斜視図である。
【図９Ｅ】本発明の一実施形態にかかる化粧用刷毛の毛束固定法を手順別に示す斜視図である。
【図９Ｆ】本発明の一実施形態にかかる化粧用刷毛の毛束固定法を手順別に示す斜視図である。
【図９Ｇ】本発明の一実施形態にかかる化粧用刷毛の毛束固定法を手順別に示す斜視図である。
【図９Ｈ】本発明の一実施形態にかかる化粧用刷毛の毛束固定法を手順別に示す斜視図である。
【図１０】本発明の一実施形態にかかる化粧用刷毛の使用状態を例示する斜視図である。
【符号の説明】
【００４３】
１    化粧用刷毛
２    容器
１０      キャップ
１１      柄部
１１ａ    押圧点
１２      内部結合孔
２０      毛束
２１      接着部
３０      金属管状体
３０ａ    金属片
３１      金属板材
３１ａ    連結片
３２ａ，３３ａ    突部
３２ｂ，３３ｂ    係止溝
【図１Ａ】
2007000609.tif 000003
【図１Ｂ】
2007000609.tif 000004
【図１Ｃ】
2007000609.tif 000005
【図２】
2007000609.tif 000006
【図３】
2007000609.tif 000007
【図４】
2007000609.tif 000008
【図５】
2007000609.tif 000009
【図６】
2007000609.tif 000010
【図７】
2007000609.tif 000011
【図８】
2007000609.tif 000012
【図９Ａ】
2007000609.tif 000013
【図９Ｂ】
2007000609.tif 000014
【図９Ｃ】
2007000609.tif 000015
【図９Ｄ】
2007000609.tif 000016
【図９Ｅ】
2007000609.tif 000017
【図９Ｆ】
2007000609.tif 000018
【図９Ｇ】
2007000609.tif 000019
【図９Ｈ】
2007000609.tif 000020
【図１０】
2007000609.tif 000021